(57)【要約】【課題】  工具を使用しなくても、当てゴム収容部に収容されている当てゴムが交換できるようにすることである。【解決手段】  発射ユニットＨを構成する打撃槌４の衝突側が部分的に開口されて一部が欠落した円筒状の当てゴム収容部Ａに、円柱状の当てゴムＢを、前記当てゴム収容部Ａを構成する周壁部２９の挿入開口２９ａから軸方向に挿入して収容させ、前記挿入開口２９ａを当てゴムカバーＣ1 で閉塞し、前記当てゴムＢを交換するときには、前記当てゴムカバーＣ1 を周壁部２９の軸直角方向にスライドさせて前記挿入開口２９ａを開放し、周壁部の軸方向に沿って引き出された当てゴムＢをモータ取付部２２の内側部２２ｃに配置させ、更に左右方向に移動させて、前記モータ取付部２２の内側部２２ｃから当てゴム抜取り開口Ｓに移動させて抜き取る。【選択図】        図９
2007021072.tif 000002
【特許請求の範囲】
【請求項１】
発射モータに取付けられて連続回転する発射モータカムによって弾発回動する打撃槌を有する発射ユニットのベースに一体に設けられ、周壁部における前記打撃槌の衝突側が部分的に開口されて一部が欠落された筒状の当てゴム収容部と、該当てゴム収容部の開口端面である挿入開口から前記当てゴム収容部に収容される当てゴムと、該当てゴムが前記挿入開口から抜け出るのを防止する抜出防止手段とを備え、
弾発回動する前記打撃槌の一部を前記当てゴムの露出部に衝突させて、打撃槌の回動停止位置を定める当てゴムユニットを有する遊技機であって、
前記抜出防止手段は、当てゴム収容部の前記挿入開口を閉塞すべく、当てゴム収容部に対する当てゴムの挿入方向と直交する方向にスライド可能なように、前記挿入開口の部分に配設された当てゴムカバーであることを特徴とする遊技機。
【発明の詳細な説明】
【技術分野】
【０００１】
本発明は、遊技球を打つために弾発回動される打撃槌の一部を当てゴムの露出部に衝突させて、前記打撃槌の回動停止位置を定める当てゴムユニットを有する遊技機に関するものである。
【背景技術】
【０００２】
パチンコ機の発射ユニットは、弾発回動する打撃槌で遊技球を打つ構成である。打撃槌の打撃終了位置（回動停止位置）は、当てゴムによって定められている。当てゴムは、打撃槌と繰り返して衝突されるため、長期間の使用により、「へたり」（圧縮変形することによる疲労）が発生して変形する。そして、前記へたりによる変形が大きくなると打撃槌の回動停止位置がずれてくるため、当てゴムを交換する必要がある。
【０００３】
ここで、当てゴムの取付構造について多数の特許出願がなされている。例えば、当てゴムを支持部材によって保持するもの（特許文献１，２参照）、当てゴムを筒状に構成し、軸心に設けられた挿通孔にねじを挿通させ、該ねじをベースに締め付けるもの（特許文献３，４参照）、打撃槌に取付けられた支持部材に当てゴムを嵌め込むもの（特許文献５参照）が存している。上記したいずれの技術であっても、当てゴムを保持するためにねじを螺合させる作業を必要とする。このため、当てゴムを交換する際に、ねじを締めたり緩めたりする作業が不可欠となり、面倒である。
【０００４】
しかも、当てゴムが取付けられる部分に、打撃槌を弾発回動させるための発射モータのモータカバーが覆い被さる場合がある。この場合、当てゴムを交換するために、モータカバーを取り外さなければならない。また、発射ユニットの背面部に基板ボックス等が重なって配置されている場合には、それらも取り外す必要がある。この不具合を回避するためには、発射モータ、基板ボックス等が当てゴムと前後方向で重ならないようにする特別な設計が必要である。
【特許文献１】実用新案登録第２５０６３８５号公報
【特許文献２】実開平５−９１７７０号公報
【特許文献３】特開平７−２７５４６９号公報
【特許文献４】特開２００１−５８０３５号公報
【特許文献５】特開２００５−５２３２０号公報
【発明の開示】
【発明が解決しようとする課題】
【０００５】
本発明は、上記した不具合に鑑み、工具を使用することなく、当てゴムを簡単に交換できるようにすることを課題としている。
【課題を解決するための手段】
【０００６】
上記課題を解決するための第１解決手段（請求項１の発明）は、発射モータに取付けられて連続回転する発射モータカムによって弾発回動する打撃槌を有する発射ユニットのベースに一体に設けられ、周壁部における前記打撃槌の衝突側が部分的に開口されて一部が欠落された筒状の当てゴム収容部と、該当てゴム収容部の開口端面である挿入開口から前記当てゴム収容部に収容される当てゴムと、該当てゴムが前記挿入開口から抜け出るのを防止する抜出防止手段とを備え、弾発回動する前記打撃槌の一部を前記当てゴムの露出部に衝突させて、打撃槌の回動停止位置を定める当てゴムユニットを有する遊技機であって、前記抜出防止手段は、当てゴム収容部の前記挿入開口を閉塞すべく、当てゴム収容部に対する当てゴムの挿入方向と直交する方向にスライド可能なように、前記挿入開口の部分に配設された当てゴムカバーであることを特徴としている。
【０００７】
第１解決手段により、以下の作用効果が奏される。当てゴムの交換時には、指先の小さな力により当てゴムカバーを当てゴム収容部の側方にスライドさせて、当てゴム収容部の挿入開口を露出させた後に、当てゴム収容部内の当てゴムを挿入時と逆方向に移動させて抜き出す。次に、新規の当てゴムを、当てゴム収容部の挿入開口から内部に挿入して収容した後に、当てゴムカバーを当てゴム収容部の側方にスライドさせて、挿入開口を閉塞すると、当てゴムの抜出しが防止される。このように、第１解決手段によれば、工具を一切使用せずに、当てゴムの交換が可能となる。
【０００８】
また、第２解決手段は、第１解決手段において、前記当てゴムカバーは、板状をしていて、指先を引っ掛け易くするために、閉塞側となる先端部に前記当てゴム収容部と反対の側に向けて形成された指引掛け部と、反閉塞側となる後端部で、前記当てゴム収容部の挿入開口の側方に一体成形され、当てゴム収容部の側に折り曲げて形成されたスライド案内板部の自由端部に挟持状態で嵌着される嵌着部と、前記挟持状態で、当てゴムカバーのスライドを規制して保持するためのスライド防止部とを備えていることを特徴としている。
【０００９】
第２解決手段では、スライド案内板部に案内溝を形成することなく、使用状態において当てゴムカバーが当てゴムの挿入方向と反対方向に移動して外れるのを簡単に防止できる。
【００１０】
また、第３解決手段は、第１又は第２解決手段において、前記発射ユニットのベースと前記発射モータが保持されるモータ取付部との間に、打撃槌が回動するための隙間が形成されていて、前記当てゴムユニットを構成する当てゴム収容部の挿入開口が、前記隙間から差し込まれた作業者の指先が届く位置に配置されていることを特徴としている。
【００１１】
第３解決手段では、作業者が、発射ユニットのベースとモータ取付部との間に形成された隙間から指先を挿入し、当てゴム収容部の挿入開口から当てゴムを抜き取ることができるため、発射ユニットが装着されたままの状態で当てゴムの交換をすることができる。特に、当てゴムユニットが、モータ取付部、発射モータカム、放熱部材等により覆われる位置に配置される場合には、発射ユニットのベースとモータ取付部との間に設けられる打撃槌を回動させる隙間等に指先を挿入して、前記当てゴムカバーを当てゴム収容部の側方にスライドさせた後に、当てゴムを抜き取ることができる。それゆえ、モータ取付部等を取り外すことなく、当てゴムの交換ができるという特有の利点がある。
【発明の効果】
【００１２】
本発明は、発射モータに取付けられて連続回転する発射モータカムによって弾発回動する打撃槌を有する発射ユニットのベースに一体に設けられ、周壁部における前記打撃槌の衝突側が部分的に開口されて一部が欠落された筒状の当てゴム収容部と、該当てゴム収容部の開口端面である挿入開口から前記当てゴム収容部に収容される当てゴムと、該当てゴムが前記挿入開口から抜け出るのを防止する抜出防止手段とを備え、弾発回動する前記打撃槌の一部を前記当てゴムの露出部に衝突させて、打撃槌の回動停止位置を定める当てゴムユニットを有する遊技機であって、前記抜出防止手段は、当てゴム収容部の前記挿入開口を閉塞すべく、当てゴム収容部に対する当てゴムの挿入方向と直交する方向にスライド可能なように、前記挿入開口の部分に配設された当てゴムカバーであることを特徴としている。このため、当てゴムカバーを当てゴム収容部の側方にスライドさせて、当てゴム収容部の挿入開口を露出させて、当てゴム収容部に収容されている当てゴムを抜き出すことができる。そして、前記当てゴム収容部に新規な当てゴムを収容して、当てゴムカバーを逆方向にスライドさせることにより、当てゴム収容部の挿入開口を閉塞できる。上記した結果、工具を一切使用せずに、当てゴムを交換することができる。
【発明を実施するための最良の形態】
【００１３】
以下、実施例を挙げて、本発明を更に詳細に説明する。図１はパチンコ機Ｐにおける操作ハンドル１の部分の正面図、図２は発射ユニットＨの正面図、図３は発射ユニットＨを構成する部材のうち、モータ取付部２２とモータカバー２６を分離した状態の斜視図、図４は図３の状態における発射ユニットＨの正面図、図５は発射ユニットＨの平面図、図６は第１実施例の当てゴムカバーＣ1 が取付けられた上側の当てゴムユニットＵａの斜視図である。
【実施例１】
【００１４】
図１及び図２に示されるように、本実施例の遊技機（パチンコ機Ｐ）では、正面視における右下部分に操作ハンドル１が配設されていて、該操作ハンドル１の裏面部で背面視における左下部分に発射ユニットＨが配設されている。発射ユニットＨについて説明する。図３ないし図５に示されるように、本実施例の発射ユニットＨは、樹脂より成り、遊技機の基枠２の裏面部に取付けられるベース３に取付けられている。ベース３には、ほぼ全面に亘って、金属より成る補強板３ａが取付けられている。前記ベース３のほぼ中央部には、打撃槌４を回動可能に支持するドラム体５を収容するためのドラム体収容部５ａ（図５参照）が設けられている。打撃槌４は、ドラム体５の軸心５ｂを中心に回動可能である。また、ベース３の端部には、操作ハンドル１と連結される連結軸（図示せず）が取付けられていて、該連結軸に弾発力調整カム６が取付けられている。このため、操作ハンドル１を回動させると、弾発力調整カム６も同方向に回動される。発射ユニットＨの幅方向のほぼ中央部の上部には、上側の当てゴムユニットＵａが設けられていて、同じく下部には下側の当てゴムユニットＵｂが設けられている。各当てゴムユニットＵa,Ｕb は、略円筒状の当てゴム収容部Ａと、該当てゴム収容部Ａに収容される中実円柱状の当てゴムＢと、該当てゴムＢが抜け出ることを防止するための第１実施例の当てゴムカバーＣ1 とから成る。なお、図１において、７は球供給アームであり、８は発射レールである。
【００１５】
図４に示されるように、ベース３の表面部には、打撃槌４の弾発力を調整するためのスライド体９が、ベース３に対して左右方向にスライド可能に取付けられている。該スライド体９には、ベース３に取付けられたコマ体１１を嵌合するためのガイド溝９ａが設けられている。前記ガイド溝９ａは段付き溝であり、前記コマ体１１は、ガイド溝９ａの段差部分に抜け止め状態で取付けられている。また、ベース３における弾発力調整カム６の上部には、左右方向に沿って長孔状のガイド溝３ｂが設けられていて、前記スライド体９の端部に設けられたスライド支持部１２がガイド溝３ｂに嵌合され、ベース３の裏面部に突出している。上記した結果、スライド体９は、前記コマ体１１と前記スライド支持部１２とによってガイドされて、左右方向にスライドされる。
【００１６】
図４に示されるように、前記スライド体９の一端部で、スライド支持部１２の直下の部分にはカムローラ１３が回転自在にして側方に突設されていて、弾発力調整カム６のカム面６ａに摺接されている。操作ハンドル１の無回動状態で、カムローラ１３は、弾発力調整カム６のカム面６ａにおける最も低い位置（カム面６ａの始端部）と摺接されている。遊技者が操作ハンドル１を回動させると、弾発力調整カム６が同方向に回動される。これにより、スライド体９全体が、左右方向に沿ってスライドされる。前記スライド体９の他端部には、引張りばね１４の一端部を引っ掛けるためのばね引掛部１５が突設されている。引張りばね１４の一端部は、スライド体９のばね引掛部１５に引っ掛けられていて、他端部は、打撃槌４に取付けられた打撃槌支持板１６のばね引掛部１７に引っ掛けられている（後述）。
【００１７】
打撃槌４について説明する。打撃槌４は、図３に示されるように、連続回転する円板体１８に取付けられた発射モータカム１８ａにより、ドラム体５の軸心５ｂを中心として弾発回動されて遊技球を打つ。図３及び図４に示されるように、本実施例の打撃槌４は、発射ユニットＨの正面視において、下端部が側方に突出して下側の当てゴムユニットＵｂの当てゴム収容部Ａに収容されている当てゴムＢに衝突する下側衝突部１９が形成された略Ｌ字形状である。また、打撃槌４において、上部の側方部分には、上側の当てゴムユニットＵａに収容されている当てゴムＢに衝突する上側衝突部４ａが設けられている。打撃槌４の正面部には、金属より成る打撃槌支持板１６が取付けられていて、該打撃槌支持板１６には、引張りばね１４の他端部を引っ掛けるためのばね引掛部１７と、発射モータカム１８ａに摺接するローラ２１が回転自在に取付けられている。前述したように、遊技者が操作ハンドル１を回動させることにより、スライド体９がスライドされる。操作ハンドル１の回動量が大きくなると、スライド体９のスライド量も大きくなり、同時に、引張りばね１４の伸長量も大きくなる。この結果、打撃槌４の弾発回動力が大きくなり、打撃槌４が遊技球を打つ強さも強くなる。打撃槌４は、遊技球を打った後、上下の各当てゴムＢに衝突して停止される。
【００１８】
図３に示されるように、発射ユニットＨにおける打撃槌４の部分には、モータ取付部２２が取付けられる。該モータ取付部２２は、略蓋状であり、正面部には、発射モータ２３のモータ軸２３ａを挿通させるための挿通孔２２ａが設けられていると共に、前記挿通孔２２ａの周辺部には、発射モータ２３のフランジ部２４を固定するためのボス２２ｂが設けられている。発射モータ２３は、前記フランジ部２４に設けられた各挿通孔２４ａにボス２２ｂが挿通され、各取付ねじ２５が締め込まれることによって、モータ取付部２２に固定される。モータ取付部２２に固定された発射モータ２３は、モータカバー２６によって覆われる。発射モータ２３及びモータカバー２６が取付けられたモータ取付部２２は、各取付ねじ２７が、ベース３に設けられた各雌ねじ部２８に締め込まれることによってベース３に固定される。この状態で、図５に示されるように、ベース３とモータ取付部２２との間には、開口（当てゴム抜取り開口Ｓ）が形成される。
【００１９】
本実施例のパチンコ機Ｐにおける上下の各当てゴムユニットＵa,Ｕb について説明する。図４に示されるように、打撃槌４は、ドラム体５の軸心５ｂを中心に弾発回動され、打撃槌４の上下の各衝突部４a,１９が、対応する上下の各当てゴムＢに衝突して停止する。即ち、上下の各当てゴムＢにより、打撃槌４の打球位置が定められる。各当てゴムユニットＵa,Ｕb の構成は、殆ど同一なので、ここでは、上側の当てゴムユニットＵａについてのみ説明する。
【００２０】
図６及び図７に示されるように、当てゴムユニットＵａは、ベース３と一体に設けられていて、該当てゴムユニットＵａを構成する当てゴム収容部Ａは、当てゴムＢが収容される有底略円筒状の周壁部２９と、該周壁部２９の上端部から後側（当てゴムＢが露出される側の反対側）に上面同一にして延設された当てゴムカバー支持板部３１と、該当てゴムカバー支持板部３１を保持するためにベース３から立設された一対のガイド板部３２と、該一対のガイド板部３２と連続して更に後方に設けられ、モータ取付部２２を取付けるための複数の雌ねじ部２８が設けられた支持台部３３（後述）とを備えている。前記周壁部２９の上面は開口されていて、当てゴムＢを周壁部２９の軸方向に沿って挿入するための挿入開口２９ａが形成されている。前記周壁部２９において、打撃槌４と対向する部分は、周壁部２９の上面から所定高さだけ切除されていて、当てゴムＢを露出させるための開口部２９ｂが形成されている。また、開口部２９ｂを除く周壁部２９の内周面３４には、軸心方向に沿って複数本（本実施例の場合、周方向に一定角度をおいて５本）の突条３４ａが設けられている。そして、図７の（イ）,(ロ）に示されるように、当てゴム収容部Ａの底部（底板部３５）の上面には、リング状の台座部３５ａが設けられている。これにより、周壁部２９の内周面３４で各突条３４ａどうしの間に空間部Ｑ1 が形成されると共に、底板部３５の上面と台座部３５ａとの間に空間部Ｑ2 が形成される。
【００２１】
ここで、前記当てゴムＢは、打撃槌４の停止位置を安定させるために固いものであることが望ましい。しかし、固すぎると、打撃槌４の衝撃力をそのまま周壁部２９に伝達するため、該周壁部２９を損傷させてしまう。一方、軟らかすぎると、周壁部２９の損傷は起こしにくくなるが、打撃槌４の停止位置にばらつきが生じて、遊技球の飛距離にむらが出てしまう。このため、打撃槌４の停止位置を安定させると共に、周壁部２９を損傷させないことが必要である。
【００２２】
前記当てゴムＢは、当てゴム収容部Ａの周壁部２９の挿入開口２９ａから、該周壁部２９の軸方向に沿って挿入されて、前記周壁部２９に収容される。このとき、当てゴムＢの下半部が周壁部２９の全周に亘って保持され、上半部のうち、周壁部２９の開口部２９ｂに対応する部分は露出されている。また、前記当てゴムＢの底面部は、底板部３５の台座部３５ａに載置され、同じく露出部分を除く外周部は、内周面３４の各突条３４ａに当接される。図７の（ロ）及び図８に示されるように、打撃槌４が当てゴムＢに衝突することにより、該当てゴムＢは各突条３４ａに押圧され、弾性変形する。図７の（ロ）及び図８において、弾性変形後の当てゴムＢ’を破線で示す。当てゴムＢの外周部のうち、各突条３４ａに当接している部分は更に突条３４ａに押圧されると共に、周壁部２９の内周面３４と相対向する部分は空間部Ｑ1 に入り込む。同様に、当てゴムＢの底面部が弾性変形されて、空間部Ｑ2 に入り込む。各突条３４ａの突出高さ及び台座部３５ａの高さは、弾性変形後の当てゴムＢ’の外周部及び底面部が、各突条３４ａ及び台座部３５ａによって十分に弾性変形するように設計されている。
【００２３】
当てゴム収容部Ａにおける筒状の周壁部２９内に、そのまま当てゴムＢを収容させる構造の場合、弾発回動する打撃槌４の運動エネルギーに基づく衝撃力は、その一部が当てゴムＢの弾性変形に変換吸収され、残りが、前記当てゴムＢを介して打撃槌４の対向側の当てゴムＢに面状に接する周壁部２９に作用することとなる。このとき、衝撃力の多くが当てゴムＢで吸収されないと、前記周壁部２９に大きな衝撃力が及んでしまい、前記周壁部２９を破損させてしまう。
【００２４】
そこで、本実施態様では、開口部２９ｂと反対側の周壁部２９に所定間隔で複数本の突条３４ａを、また、各突条３４ａどうしの間に空間部Ｑ1 を設けた構造としている。この結果、打撃槌４の衝突の際、当てゴムＢの外周面の一部が最初に各突条３４ａに線状に当り、かつ各突条３４ａ間に位置する当てゴムＢが変形により空間部Ｑ1 に無理なく移動されて、当てゴムＢの弾性変形が促進される。これにより、当てゴムＢで衝撃力の多くが吸収され、周壁部２９に作用する衝撃力が十分に緩和される。即ち、周壁部２９と当てゴムＢを面状ではなく線状に当接させて、当てゴムＢの変形を増加させるものである。加えて、周壁部２９の底面部（底板部３５）に設けられた空間部Ｑ2 も、弾性変形する当てゴムＢの下方向への変形移動を許容して、当てゴムＢ全体の弾性変形を促進する。以上の構成により、打撃槌４と当てゴムＢとの衝突が繰り返されても、周壁部２９が破損することが防止される。
【００２５】
図６及び図７に示されるように、前記周壁部２９において開口部２９ｂと反対側の部分には、周壁部２９と上面を同一にして当てゴムカバー支持板部３１が延設されている。当てゴムカバー支持板部３１の両側には、ベース３と一体に成形される一対のガイド板部３２が設けられていると共に、前記当てゴムカバー支持板部３１の後方には、前述した支持台部３３が延設されている。前記一対のガイド板部３２は、当てゴムカバー支持板部３１の上面よりも少し高く設けられていると共に、それらの前端部は、周壁部２９まで延設されている。そして、一対のガイド板部３２の前端部で相対向する内側部には、平面視において略半円形状の係合突起部３６が突出されている。各係合突起部３６の後半部の上面は後方に向かって斜めに切除されていて、傾斜面３６ａとなっている。そして、前記当てゴムカバー支持板部３１の直後方で支持台部３３との間、及び直下方には、第１実施例の当てゴムカバーＣ1 を着脱するための各空間部Ｖ1,Ｖ2 が形成されている。
【００２６】
第１実施例の当てゴムカバーＣ1 について説明する。第１実施例の当てゴムカバーＣ1 は、可撓性を有する樹脂材より成り、略水平板状の本体部３７と、該本体部３７の後端部が下方に向かってほぼ直角に折り返され、所定の間隔をおいて先端部が更に前方に向かってほぼ直角に折り返された嵌着部３８とから構成されている。前記本体部３７の前端部は、作業者が、指を引っ掛けることができるように斜め上方に傾斜していて、指引掛け部３７ａが形成されている。前記本体部３７の幅は、当てゴムカバー支持板部３１の幅（一対のガイド板部３２の内幅）よりも僅かに短く、一対のガイド板部３２の間に配置される。そして、本体部３７における幅方向の両端部には、一対のガイド板部３２に設けられた係合突起部３６に係合されるように略半円形状に切除されていて、各被係合部３７ｂが形成されている。
【００２７】
第１実施例の当てゴムカバーＣ1 の作用について説明する。図７の（イ）に示されるように、当てゴムカバーＣ1 の嵌着部３８を空間部Ｖ1 に配置させて、本体部３７を当てゴムカバー支持板部３１に載置させた状態でスライドさせて前進させる。前記嵌着部３８が空間部Ｖ2 に進入し、当てゴムカバー支持板部３１を挟み込むと共に、本体部３７が一対の係合突起部３６に乗り上げる。各係合突起部３６の後半部に傾斜面３６ａが設けられているため、当てゴムカバーＣ1 の本体部３７の乗り上げが容易である。更に当てゴムカバーＣ1 が前進されると、本体部３７の被係合部３７ｂが、対応する係合突起部３６に嵌り込んで係合される。これにより、当てゴムカバーＣ1 のスライドが規制される。また、当てゴムカバーＣ1 の嵌着部３８が当てゴムカバー支持板部３１を嵌着しているため、該当てゴムカバーＣ1 が周壁部２９の軸方向に沿って移動するおそれはない。
【００２８】
この状態で、図７の（ロ）に示されるように、当てゴムカバーＣ1 の本体部３７の前部が、周壁部２９の挿入開口２９ａを閉塞する。即ち、前記本体部３７の前部が、周壁部２９に収容されている当てゴムＢの直上に配置され、該当てゴムＢが周壁部２９から抜け出ることが防止される。
【００２９】
下側の当てゴムユニットＵｂは、一対のガイド板部３２の後方に支持台部３３が設けられていないこと、周壁部２９の開口部２９ｂの開口角度が異なっていることを除いて、上側の当てゴムユニットＵａとほぼ同一構成である。
【００３０】
パチンコ機Ｐにおいて、当てゴムＢを交換するときの作用について説明する。長期間の使用により、当てゴムＢに「へたり」が生じ、打撃槌４の停止位置がずれてしまうため、当てゴムＢを交換する必要がある。本実施例のパチンコ機Ｐの場合、図２に示されるように、ベース３に取付けられたモータ取付部２２により、上側の当てゴムユニットＵａの全体が、前記モータ取付部２２に覆われてしまう。このため、上側の当てゴムユニットＵａの当てゴム収容部Ａに収容されている当てゴムＢを抜き出すためには、以下の操作を行う。図４に示されるように、打撃槌４を当てゴムＢから離隔する方向に回動させて退避させ、打撃槌４の上側衝突部４ａと当てゴムＢとの間に空間部を形成する。図９及び図１０に示されるように、当てゴム抜取り開口Ｓのうち、モータ取付部２２と当てゴムカバー支持板部３１（図１０参照）との間に指を差し入れて、当該指を当てゴムカバーＣ1 の本体部３７の指引掛け部３７ａに引っ掛け、当てゴムカバーＣ1 の先端部を少し持ち上げる（手前側に引き起こす）。該当てゴムカバーＣ1 は、可撓性を有する樹脂材より成るため、嵌着部３８が当てゴムカバー支持板部３１に挟み込まれたまま、本体部３７の先端部のみが持ち上げられて、当てゴムカバー支持板部３１から離脱される。これにより、一対の係合突起部３６と対応する本体部３７の被係合部３７ｂとの係合が解除される。前記本体部３７を、そのまま後方（当てゴムＢから離隔する方向）にスライドさせる。当てゴムカバー支持板部３１に対する嵌着部３８の挟み込みが解除され、当てゴムカバー支持板部３１から離脱されて空間部Ｖ1 に配置される。その状態を、図９において二点鎖線で示す。これにより、周壁部２９における挿入開口２９ａが開放される。
【００３１】
続いて、図９に示されるように、当てゴムＢを周壁部２９の軸方向に沿って引き出す。周壁部２９から抜け出た当てゴムＢの手前側の部分は、蓋状のモータ取付部２２の内側部２２ｃに入り込む。図９及び図１０に示されるように、引き出される当てゴムＢの直前方には、発射モータカム１８ａが取付けられた円板体１８が配置されているが、前記周壁部２９の上面から前記円板体１８までの距離Ｌ1 は、当てゴムＢの長さＬ2 よりも大きい（Ｌ1 ＞Ｌ2)ので、当てゴムＢ全体を周壁部２９から引き出すことができる。この状態で、当てゴムＢを横方向（左右方向）に移動させて、周壁部２９と干渉しない位置に配置させ、再び周壁部２９の軸方向に沿って奥側に移動させる。打撃槌４は退避されているため、当てゴムＢと干渉することはない。また、円板体１８は手動で回動させることができるため、予め、前記円板体１８を回動させておくことにより、発射モータカム１８ａとの干渉も回避することができる。更に、前記当てゴムＢを、当てゴム抜取り開口Ｓのうち、モータ取付部２２と干渉しない位置まで移動させ、そのまま上昇させることによって当てゴムＢを取り出す。
【００３２】
新規な当てゴムＢを、当てゴム収容部Ａに収容させる場合には、上記と逆の工程の操作を行う。上記した操作により、モータ取付部２２を取り外したり、一切の工具を使用したりすることなく、当てゴムＢを交換することができる。
【００３３】
本実施例の当てゴムＢは中実の円柱形状であり、従来技術に開示された当てゴムに見られるような取付孔や貫通孔が存しない。このため、当てゴムＢの製作が容易であると共に、前記取付孔にねじ等を挿通させる必要はない。換言すれば、ねじ等を使用しなくても、当てゴムＢを収容保持させることができる。また、従来技術のように、円筒状の当てゴム収容部に当てゴムを収容して、当てゴムの中心部をねじ類により固定する構造では、中心部のねじ類の存在により、当てゴムの中心部よりも打撃側のみが主体となって弾性変形するために、衝突緩和効果が十分でない。しかし、本実施例の当てゴムＢは中実であるため、当てゴムＢ全体が弾性変形して打撃槌４の衝突を緩和するので、衝突緩和効果が大きい。
【００３４】
更に、本実施例の当てゴムＢは、当てゴムユニットＵａの周壁部２９にそのまま収容されていて、当てゴムカバーＣ1 によって抜け出ることが防止されているのみである。このため、当てゴムユニットＵ1 がモータ取付部２２によって覆われていても、該モータ取付部２２を取り外すことなく、当てゴムＢを交換することができる。また、当てゴムＢを交換する際に、一切の工具を使用しなくて済む。
【００３５】
なお、本実施例のパチンコ機Ｐの場合、ベース３にモータ取付部２２が取付けられても、該モータ取付部２２によって下側の当てゴムユニットＵｂが覆われることはないため、下側の当てゴムユニットＵｂに収容されている当てゴムＢを抜き取る際には、当てゴムカバーＣ1 を取り外してそのまま当てゴムＢを引き出せば済む。
【実施例２】
【００３６】
次に、第２実施例の当てゴムカバーＣ2 について説明する。図１１及び図１２に示されるように、第２実施例の当てゴムカバーＣ2 は、可撓性を有する樹脂の平板より成る本体部３９の後端部に、つまみ部３９ａが起立して設けられた形態である。前記本体部３９の後端部でつまみ部３９ａの近傍における幅方向の両側には、平面視において略半円形状の係合突起部４１（後述）が突出されている。
【００３７】
第２実施例の当てゴムカバーＣ2 は、当てゴムユニットＵa'に取付けられる。当てゴムユニットＵa'について、当てゴムユニットＵａと同一の部分には同一の符号を付し、当てゴムユニットＵａと異なる部分を説明する。当てゴムユニットＵa'を構成する一対のガイド板部４２において、当てゴムカバー支持板部３１の直上部には、当てゴムカバーＣ2 の本体部３９の幅方向の両端部を嵌め込んでガイドするための一対のガイド溝４２ａが設けられている。前記一対のガイド溝４２ａの後端部には、前述した当てゴムカバーＣ2 の一対の係合突起部４１を係合させるための被係合部４２ｂが設けられている。
【００３８】
第２実施例の当てゴムカバーＣ2 は、本体部３９が一対のガイド板部４２のガイド溝４２ａに入り込んでガイドされた状態で、周壁部２９の軸直角方向にスライドされる。そして、本体部３９の前部が、周壁部２９に収容されている当てゴムＢの直上に配置され、周壁部２９の挿入開口２９ａを閉塞する。一対の係合突起部４１が、対応する被係合部４２ｂに嵌まり込んで係合されると、当てゴムカバーＣ2 がスライド不能になる。
【００３９】
第２実施例の当てゴムカバーＣ2 の場合、該当てゴムカバーＣ2 は常に、一対のガイド溝４２ａによってガイドされているため、周壁部２９の挿入開口２９ａを開放させた状態であっても、一対のガイド板部４２から抜け落ちることはない。また、当てゴムカバー支持板部３１の下方に空間部Ｖ2 を設けることが不要となるため、例えば、前記当てゴムカバー支持板部の下方にリブを設けることにより、周壁部２９の強度を高くすることができる。
【００４０】
本明細書に記載した当てゴムＢは円柱形状であり、該当てゴムＢが収容保持される当てゴム収容部Ａは、当てゴムＢの円柱形状に対応して円筒状である。しかし、例えば、角柱形状、楕円柱形状等の他の形状の当てゴムと、それらの形状に対応した形状の当てゴムユニットであっても同様な効果が奏される。
【００４１】
本明細書の実施例には、以下の発明、即ち、「打撃槌を有する発射ユニットのベースに一体に設けられ、周壁部における前記打撃槌の衝突側が部分的に開口されて一部が欠落された筒状の当てゴム収容部と、該当てゴム収容部の開口端面である挿入開口から前記当てゴム収容部に収容される当てゴムと、該当てゴムが前記挿入開口から抜け出るのを防止する抜出防止手段とを備え、弾発回動する前記打撃槌の一部を前記当てゴムの露出部に衝突させて、打撃槌の回動停止位置を定める当てゴムユニットを有する遊技機であって、前記当てゴム収容部の内周面には、当てゴムの挿入方向に沿って複数本の突条が周方向に所定間隔をおいて設けられている遊技機。」の発明が記載されている。
【００４２】
上記実施例の遊技機では、（１）当てゴムにねじ類が貫通されていなくて、当てゴム全体が弾性変形して打撃槌の衝突を緩和するので、衝突緩和効果が大きい（筒状の当てゴム収容部に当てゴムを収容して、当てゴムの中心部をねじ類により固定する構造では、中心部のねじ類の存在により、当てゴムの中心部よりも打撃側のみが主体となって弾性変形するために、衝突緩和効果が十分でない）という効果が奏されるのに加えて、（２）当てゴムの外周面の一部が最初に突条に線状に当たり、かつ各突条間に位置する当てゴムが変形により空間部に無理なく移動されて、当てゴムの弾性変形が促進されるため、当てゴムで衝撃力の多くが吸収され、周壁部に作用する衝撃力が十分に緩和されて、当てゴム収容部の損傷が防止される、という効果が奏される。
【図面の簡単な説明】
【００４３】
【図１】パチンコ機Ｐにおける操作ハンドル１の部分の正面図である。
【図２】発射ユニットＨの正面図である。
【図３】発射ユニットＨを構成する部材のうち、モータ取付部２２とモータカバー２６を分離した状態の斜視図である。
【図４】図３の状態における発射ユニットＨの正面図である。
【図５】発射ユニットＨの平面図である。
【図６】第１実施例の当てゴムカバーＣ1 が取付けられた上側の当てゴムユニットＵａの斜視図である。
【図７】（イ）,(ロ）は、当てゴムカバーＣ1 を取付ける状態の作用説明図である。
【図８】打撃槌４と衝突した当てゴムＢが変形する状態の作用説明図である。
【図９】上側の当てゴムユニットＵａに収容されている当てゴムＢを引き出す状態の作用説明図である。
【図１０】図９の状態の正面図である。
【図１１】第２実施例の当てゴムカバーＣ2 が取付けられた上側の当てゴムユニットＵa'の斜視図である。
【図１２】同じく平面図である。
【符号の説明】
【００４４】
Ａ，Ａ’：当てゴム収容部
Ｂ：当てゴム
Ｃ1,Ｃ2 ：当てゴムカバー
Ｈ：発射ユニット
Ｐ：パチンコ機（遊技機）
Ｓ：当てゴム抜取り開口（隙間）
Ｕa,Ｕb ：当てゴムユニット
３：ベース
４：打撃槌
４ａ：上側の衝突部（打撃槌の一部）
１８ａ：発射モータカム
１９：下側の衝突部（打撃槌の一部）
２２：モータ取付部
２３：発射モータ
２９：周壁部
２９ａ：挿入開口
３１：当てゴムカバー支持板部（スライド案内板部）
３６：係合突起部（スライド防止部）
３７ａ：指引掛け部
【図１】
2007021072.tif 000003
【図２】
2007021072.tif 000004
【図３】
2007021072.tif 000005
【図４】
2007021072.tif 000006
【図５】
2007021072.tif 000007
【図６】
2007021072.tif 000008
【図７】
2007021072.tif 000009
【図８】
2007021072.tif 000010
【図９】
2007021072.tif 000011
【図１０】
2007021072.tif 000012
【図１１】
2007021072.tif 000013
【図１２】
2007021072.tif 000014